(57)【要約】  栄養または医薬製品を貯蔵するための製品パッケージは、本体および開口を有する容器と、開口を封止するように容器に付着されるシール（３００、６００）と、容器の開口を選択的に閉鎖するように容器と着脱可能に係合されるクロージャと、を含む。クロージャおよび／またはシールは、シールを容器から持ち上げ、かつ／または取り外すことを容易にするように１つまたは複数の把持要素（３０４、６０４、７１０）を含む。
2016502963.tif 000002
【特許請求の範囲】
【請求項１】
（ａ）本体および開口を備える容器と、
（ｂ）開口を封止するように本体と着脱可能に係合され、タブが本体に沿って第１の位置に配置されるように、開口を越えて延在するタブを備える、シールと、
（ｃ）シールを覆って配置され、容器と着脱可能に係合され、シールのタブと結合される少なくとも１つの把持要素を備えるクロージャであって、クロージャが容器から取り外されると、少なくとも１つの把持要素が本体から離れて第２の位置にシールのタブを持ち上げるように動作可能である、クロージャと
を備える、製品パッケージ。
【請求項２】
少なくとも１つの把持要素が、クロージャの側壁から内側に延在するタブを備える、請求項１に記載の装置。
【請求項３】
タブが、側壁から実質的に直角に延在する、請求項２に記載の装置。
【請求項４】
タブが、側壁から鋭角で延在する、請求項２に記載の装置。
【請求項５】
タブが、側壁の内周に連続的に延在する、請求項２に記載の装置。
【請求項６】
タブが、側壁の一部内周のみに延在する、請求項２に記載の装置。
【請求項７】
タブが、側壁の端部に配置される、請求項２に記載の装置。
【請求項８】
クロージャが、クロージャの側壁に開口を備え、タブが開口の中に配置可能であるように、開口がシールのタブに対応するようなサイズとされる、請求項１に記載の装置。
【請求項９】
開口が、シールを容器から取り外すのに役立つように動作可能である、請求項８に記載の装置。
【請求項１０】
（ａ）本体および開口を備える容器と、
（ｂ）開口を封止するように本体と着脱可能に係合され、容器の開口を越えて延在するタブを備えるシールであって、タブが容器の本体に対して第１の位置に配置可能であり、第１の折り畳まれた部分がタブに対して配置されるように、タブが第１の折り畳まれた部分を備え、第１の折り畳まれた部分が、シールを容器から取り外す把持要素を提供するように構成される、シールと
を備える、製品パッケージ。
【請求項１１】
第１の折り畳まれた部分が、ネック部に沿って配置される、請求項１０に記載の装置。
【請求項１２】
第１の折り畳まれた部分が、タブに対して実質的に水平である、請求項１０に記載の装置。
【請求項１３】
第１の折り畳まれた部分が、容器の本体から離れて第２の位置にタブを配置すべく持ち上げられるように構成される、請求項１０に記載の装置。
【請求項１４】
第１の折り畳まれた部分が、容器の本体から離れて第２の位置にタブを配置すべくタブから折り畳まれないように構成される、請求項１０に記載の装置。
【請求項１５】
第１の折り畳まれた部分が、容器の上面まで延在する、請求項１０に記載の装置。
【請求項１６】
タブが、第２の折り畳まれた部分を備える、請求項１０に記載の装置。
【請求項１７】
第１の折り畳まれた部分および第２の折り畳まれた部分が、コーナーを備える、請求項１６に記載の装置。
【請求項１８】
コーナーが、タブのほぼ中心に配置される、請求項１７に記載の装置。
【請求項１９】
シールが、箔を備える、請求項１０に記載の装置。
【請求項２０】
（ａ）本体および開口を備える容器と、
（ｂ）開口を封止するように本体と着脱可能に係合され、容器の開口を越えて延在するタブを備えるシールであって、タブが容器の本体の一部分に対して折り畳まれる、シールと、
（ｃ）シールを覆って配置され、容器と着脱可能に係合される、クロージャと、
（ｄ）シールを容器から取り外すように動作可能であり、シールおよびクロージャのうちの選んだ１つに配置される、把持要素と
を備える、製品パッケージ。
【発明の詳細な説明】
【技術分野】
【０００１】
本出願は、そのすべての内容が全体として参照により組み込まれている、２０１３年１月１０日に出願された米国仮特許出願第６１／７５０，８９９号の優先権および任意の利益を主張するものである。
【０００２】
本開示は、製品パッケージ、特に容器およびクロージャ用のシールに関する。
【背景技術】
【０００３】
シールは、容器を開封するユーザに有用な触覚要素を含む。製品パッケージのシール、クロージャ、および容器は、とりわけ、飲料製品、栄養製品、および医薬製品に関して使用され得る。いくつかの製品パッケージ設計においては、シールは、ユーザによる最初の使用前に容器が開封されていないことをユーザに示す不正開封防止シールとして働く。
【発明の概要】
【発明が解決しようとする課題】
【０００４】
容器に使用される不正開封防止シールに対する懸念は、特に把持能力が低下したユーザにとって、シールにより容器を開封することがより困難になり得るということである。したがって、シールにより容器を開封することが過度に困難にならず、同時に製品の所期の使用の時点でタンパーエビデントシールを提供するように把持要素を備える容器のためのクロージャおよび／またはシールを提供することが望ましい。
【課題を解決するための手段】
【０００５】
さまざまな製品パッケージ、特に容器のためのクロージャおよび／またはシールが作られ、使用されているが、本発明者（複数の発明者）より以前には誰も、本明細書において説明されるような発明を作るかまたは使用していないと考えられる。
【０００６】
本明細書は本発明を特に指摘し明確に請求する特許請求の範囲によって完結しているが、本発明は、同じ参照数字が同じ要素を識別する添付の図面と関連して採用されるある実施例についての次の説明からよりよく理解されるであろうと考えられる。
【図面の簡単な説明】
【０００７】
【図１】閉鎖位置における容器およびクロージャを示す例示的な製品パッケージの斜視図である。
【図２】開封位置における図１の容器およびクロージャの斜視図である。
【図３】タブを備える例示的なシールの上面図である。
【図４】図１の容器に適用される図３のシールの部分側面図である。
【図５Ａ】タブを備える例示的なクロージャの横断面図である。
【図５Ｂ】図５Ａのクロージャの底面図である。
【図５Ｃ】鋭角に延在するタブを備えるもう１つの例示的なクロージャの横断面図である。
【図５Ｄ】図５Ｃのクロージャの底面図である。
【図６Ａ】図４のシールおよび容器に適用される図５Ａのクロージャの部分横断面図である。
【図６Ｂ】シールおよび容器から取り外された図６Ａのクロージャの部分横断面図である。
【図７】開口を備えるもう１つの例示的なクロージャの側面図である。
【図８】図６Ｂのシールおよび容器と結合された図７のクロージャの部分側面図である。
【図９】折り畳まれたタブを有するもう１つの例示的なシールの上面図である。
【図１０】図１の容器に適用される図９のシールの部分側面図である。
【図１１Ａ】持ち上げられ、折り畳まれた形態における図１０のシールの部分側面図である。
【図１１Ｂ】容器から取り外されている図１１Ａのシールの部分側面図である。
【図１２Ａ】持ち上げられ、折り畳まれていない形態における図１０のシールの部分側面図である。
【図１２Ｂ】容器から取り外されている図１２Ａのシールの部分側面図である。
【図１３】折り畳まれたタブを有するもう１つの例示的なシールの上面図である。
【図１４】図１の容器に適用される図１３のシールの部分側面図である。
【図１５】折り畳まれたタブを有するもう１つの例示的なシールの上面図である。
【図１６】図１の容器に適用される図１５のシールの部分側面図である。
【発明を実施するための形態】
【０００８】
図面は、決して限定することを目的とするものではなく、本発明のさまざまな実施形態が、図面に示されているとは限らないものを含めてさまざまな他の方法で実施され得ることが考えられる。本明細書の一部に組み込まれその一部を構成する添付図面は、本発明のいくつかの態様を例示するものであり、また、記述は、本発明の原理を説明する働きをするが、本発明は、示されたまさにその構成に限定されるものではないことが理解される。
【０００９】
本発明のある実施例の次の説明は、本発明の範囲を限定するように使用されるべきではない。本発明の他の実施例、特徴、態様、実施形態、および利点は、例示として本発明を実施するために考えられる最適なモードの１つである次の説明から当業者に明らかになるであろう。理解される通り、本発明は、全く本発明から逸脱することなく、他の異なる明白な態様が可能である。したがって、図面および説明は、例示以外のものではなく、制限するものではないと考えられるべきである。
【００１０】
図１〜図２は、クロージャ（１００）および容器（２００）を含む例示的な製品パッケージ（１０）を示している。容器（２００）は、本体（２１０）を含む。本体（２１０）は、本体（２１０）から延在するネック（２１２）を含む。ネック（２１２）は、上面（２０３）、側壁（２０５）、開口（２１４）、ねじ山（２０２）、中間フランジ（２０４）、および下部フランジ（２０８）を含む。側壁（２０５）は、上面（２０３）と本体（２１０）との間で本体（２１０）から実質的に直角に延在する。ねじ山（２０２）、中間フランジ（２０４）、および下部フランジ（２０８）は、側壁（２０５）に配置される。開口（２１４）は、上面（２０３）から本体（２１０）を通して延在する。ネック（２１２）は、下記にさらに説明されるように、クロージャ（１００）と係合するように構成される。
【００１１】
図２に見られるように、クロージャ（１００）は、容器（２００）から取り外し可能である。本実施例においては、クロージャ（１００）は、上面（１１８）、側壁（１０２）、ロックリング（１０６）、およびシールディスク（１０７）を含む。いくつかの実施形態においては、シールディスク（１０７）は省略される。シールディスク（１０７）がないこの種の実施形態においては、クロージャ（１００）は、閉鎖された上面（１１８）を有することができ、クロージャ（１００）は、単一体であり得る。側壁（１０２）は、上面（１１８）から概ね下方に延在し、把持面（１１６）を含む。把持面（１１６）は、直角に配向され、側壁（１０２）の外周に概ね等間隔に配置される複数の突出部（１１７）を含む。本実施形態においては、把持面（１１６）は、人がクロージャ（１００）から容器（２００）を取り外すことを試みる場合に、人の指とクロージャ（１００）との間の摩擦を大きくする。
【００１２】
ロックリング（１０６）は、オプション機能であり、図示された実施形態においては、側壁（１０２）に取り付けられて示されている。クロージャ（１００）を容器（２００）から取り外すと、ロックリング（１０６）は、側壁（１０２）から分離し、図２に示されるように容器（２００）と共に残る。この分離しているロックリング（１０６）は、クロージャ（１００）が以前に容器（２００）から部分的にまたは完全に取り外されているかどうかを示すことによって不正開封の証拠を提供する。ロックリング（１０６）のこの分離は、穿孔されている側壁（１０２）に最初にロックリング（１０６）を取り付けることよって容易にされる。
【００１３】
容器（２００）の中間フランジ（２０４）は、ロックリング（１０６）と側壁（１０２）との間に配置される。中間フランジ（２０４）は、ロックリング（１０６）を実質的に静止して保持すべくロックリング（１０６）と係合するように構成されるが、クロージャ（１００）の側壁（１０２）および上面（１１８）は回転され、それによって、ロックリング（１０６）は、容器（２００）からクロージャ（１００）を取り外す間に側壁（１０２）から分離することになる。いくつかの実施形態においては、中間フランジ（２０４）およびロックリング（１０６）は、クロージャ（１００）の開封時にロックリング（１０６）を概ね静止して保持すべく対応する歯を用いて係合する。中間フランジ（２０４）およびロックリング（１０６）のための他の適切なロック構成は、本明細書における教示を考慮すると当業者に明らかであろう。
【００１４】
側壁（１０２）は、容器（２００）のねじ山（２０２）に対応するねじ山を備える内側表面を含む。側壁（１０２）のねじ山は、クロージャ（１００）が容器（２００）に螺入螺脱され得るように、容器（２００）のねじ山と係合するように構成される。クロージャ（１００）を容器（２００）に締め付けると、クロージャ（１００）は、クロージャ（１００）と容器（２００）との間のねじ構成により下部フランジ（２０８）の方へ下方に引っ張られる。クロージャ（１００）を容器（２００）から取り外す場合には、反対のことが起こり、クロージャ（１００）は、下部フランジ（２０８）から離れて上方へ駆動される。いくつかの実施形態においては、容器（２００）および／またはクロージャ（１００）は、ねじ山（２０２）を含まず、ねじ接続部の代わりに、クロージャ（１００）は、容器（２００）にスナップ嵌めされる。本明細書における教示を考慮すると製品パッケージ（１０）の容器（２００）およびクロージャ（１００）のさまざまな他の変更、ならびに容器（２００）およびクロージャ（１００）の特徴が当業者に明らかであろう。
【００１５】
いくつかの実施形態においては、容器がユーザによる最初の使用前に開封されていないということユーザに示す不正開封防止を提供するように、シール（３００）が容器（２００）に使用される。図３に示されるように、シール（３００）は、部分（３０２）から延在するタブ（３０４）を備える部分（３０２）を含む。タブ（３０４）は、特に把持能力が低減したユーザの場合に、容器（２００）からのシール（３００）の取り外しをより容易にすることを可能とする把持要素として設けられる。タブ（３０４）は概ね半円形の延長部分として示されているが、他の適切なタブ（３０４）形状が、本明細書における教示を考慮すると当業者に明らかであろう（たとえば、正方形、長方形、三角形の、等）。シール（３００）は、アルミニウム箔、または任意の他のこの種の適切な材料、たとえば、プラスチック、紙、等から作られる。シール（３００）は、シール（３００）が容器（２００）から取り外された後に処分できる。シール（３００）は、容器（２００）と結合するように大きさ、形状、および／または配置が異なってよい。
【００１６】
図４に示されるように、シール（３００）は、容器（２００）に使用される。シール（３００）は、容器（２００）の開口（２１４）を覆うように上面（２０３）に配置される。本実施例においては、部分（３０２）は、開口（２１４）を覆い、部分（３０２）がネック（２１２）の側壁（２０５）に下方に折り畳まれるように上面（２０３）の上に延在する。側壁（２０５）に折り畳まれた部分（３０２）の領域は、スカート長さ（３０３）を形成する。いくつかの実施形態においては、部分（３０２）は、部分（３０２）がネック（２１２）を覆って折り畳まれないように開口（２１４）の大きさに対応するようなサイズとされる。シール（３００）の部分（３０２）は、たとえば接着取付け、超音波ボンディング、または他の適切な取付けの形態によって、開口（２１４）の周りにシールを形成するように容器（２００）に取り付けられる。タブ（３０４）は、部分（３０２）から延在し、ネック（２１２）の側壁（２０５）に下方に折り畳まれる。タブ（３０４）は、部分（３０２）のスカート長さ（３０３）を越えてネック（２１２）の下方に向けて延在する。シール（３００）のタブ（３０４）は、ユーザがタブ（３０４）を容器（２００）から持ち上げることができるが、部分（３０２）が容器（２００）に封止されたままであるように、容器（２００）に結合されていない。いくつかの実施形態においては、クロージャ（１００）は、シール（３００）が容器（２００）とクロージャ（１００）との間に配置されるようにシール（３００）を覆って容器（２００）の上に閉鎖される。シール（３００）により、クロージャ（１００）と容器（２００）との間にねじ接続を用いた実施形態においては、クロージャ（１００）が容器（２００）のねじ山（２０２）に螺装できるように、また同様に、クロージャ（１００）と容器（２００）との間にスナップ嵌め接続を用いた実施形態においては、クロージャ（１００）が容器（２００）にスナップ嵌めできるように、シール（３００）は容器（２００）の上に配置される。
【００１７】
容器（２００）の開封に関しては、ユーザは、クロージャ（１００）を回転させてクロージャを容器（２００）から取り外すように上方にクロージャを駆動するか、またはスナップ嵌め構成においては、クロージャ（１００）をスナップオフする。次いで、ユーザは、シール（３００）を容器（２００）から取り外す。シール（３００）を取り外すために、タブ（３０４）は、ネック（２１２）に対して第１の位置からネック（２１２）に対して直接ではなく第２の位置まで（たとえば、指、指の爪、工具、等によって）容器（２００）から離れて上方へ持ち上げられる。いったんタブ（３０４）が第２の位置まで容器（２００）から離れて上方へ持ち上げられると、タブ（３０４）は、シール（３００）を容器（２００）から取り外すように容器（２００）に沿って上方に引っ張られる。いくつかの実施形態においては、ユーザは、タブ（３０４）を容器（２００）に沿って引っ張るために、タブ（３０４）の両側を把持するかまたは挟む。シール（３００）は、シール（３００）が容器（２００）から取り外されるにつれて、シール（３００）が屈曲できるようになっているように十分に可撓性がある。いったんシール（３００）が容器（２００）から取り外されると、容器（２００）内の製品は、ユーザにとってアクセス可能である。いくつかの実施形態においては、クロージャ（１００）は、シール（３００）が取り外された後、容器（２００）内に残る製品を取っておくために、容器（２００）の上へ再設置される。
【００１８】
いくつかの実施形態においては、クロージャ（１００）および／またはシール（３００）は、ユーザが、シール（３００）のタブ（３０４）を容器（２００）から離れて第２の位置まで持ち上げるのをより容易にするように、把持要素を含むように変更される。下記の実施例は、クロージャ（１００）および／またはシール（３００）の変化に対して容易に組み込まれ得る把持要素の単に例示的な実施形態を含んでいる。
【００１９】
いくつかの実施形態においては、クロージャ（１００）は、容器（２００）から離れてタブ（３０４）を持ち上げるのを助けるように把持要素によって変更される。図５Ａは、把持要素を備える例示的なクロージャ（７００）を示している。クロージャ（７００）は、クロージャ（７００）が容器（２００）から離れてタブ（３０４）を持ち上げるのを助けるように把持要素としてタブ（７１０）を含むことを除いては、クロージャ（１００）に類似している。タブ（７１０）は、クロージャ（７００）の側壁（７０２）から内側に、かつ概ね直角に延在する。側壁（７０２）は、クロージャ（７００）の上面（７０７）から下方に延在する。タブ（７１０）は、クロージャ（７００）が容器（２００）に結合されるとタブ（３０４）に隣接して配置されるように構成される。タブ（７１０）は、図５Ｂに示されるように、側壁（７０２）の内側全体に連続的に延在する。本実施例においては、タブ（７１０）は、側壁（７０２）の底部に配置される。いくつかの実施形態においては、タブ（７１０）は、側壁（７０２）上により高く配置される。
【００２０】
図５Ｃは、把持要素を備えるもう１つの例示的なクロージャ（８００）を示している。クロージャ（８００）は、クロージャ（８００）が容器（２００）から離れてタブ（３０４）を持ち上げるのを助けるように複数のタブ（８１０）を含むことを除いては、クロージャ（７００）に類似している。タブ（８１０）は、側壁（８０２）から鋭角で内側に延在する。側壁（８０２）は、クロージャ（８００）の上面（８０７）から下方に延在する。各タブ（８１０）は、図５Ｄに示されるように、側壁（８０２）の一部の周囲のみに延在する。３つのタブ（８１０）が示されているが、任意の数のタブ（８１０）が使用され得る。
【００２１】
図６Ａに示されるように、クロージャ（７００）は、クロージャ（７００）が容器（２００）に結合される場合にはシール（３００）を覆って配置される。シール（３００）は初めに、タブ（３０４）が容器（２００）のネック（２１２）の上に折り畳まれ、それの上に延在ように、容器（２００）に取り付けられる。次いで、クロージャ（７００）は、対応するねじ山（２０２、７０４）がクロージャ（７００）を容器（２００）の上に閉鎖するように互いに係合するように、クロージャ（７００）を容器（２００）上に回転させることによって容器（２００）に結合される。したがって、クロージャ（７００）は容器（２００）の上でシール（３００）を覆って配置される。クロージャ（７００）のタブ（７１０）は、タブ（７１０）がシール（３００）のタブ（３０４）の下に配置されるように、内側に延在する。
【００２２】
次いで、クロージャ（７００）は、図６Ｂに示されるように、容器（２００）から取り外される。クロージャ（７００）が容器（２００）から持ち上げられるにつれて、タブ（７１０）は、容器（２００）から離れてタブ（３０４）を持ち上げるようにシール（３００）のタブ（３０４）と係合する。本実施例においては、タブ（７１０）は、容器（２００）から離れて少なくとも１０°までタブ（３０４）を持ち上げるが、他の実施例においては、タブ（７１０）は、他の限度までタブ（３０４）を持ち上げることができる。タブ（３０４）を容器（２００）から離れて持ち上げた状態で、ユーザは、より容易にタブ（３０４）を把持することができる。次いで、ユーザは、シール（３００）を容器（２００）から取り外すように容器（２００）に沿って上方へタブ（３０４）を引っ張るようにタブ（３０４）を挟む。いくつかの実施形態においては、クロージャ（７００）は、タブ（７１０）の代わりに側壁（１０２、７０２）の内側に接着剤などの、他の把持要素を含む。接着剤は、クロージャ（７００）が容器（２００）から取り外される場合に容器（２００）から離れてタブ（３０４）を持ち上げるようにタブ（３０４）に付着させる。さらに他の実施例においては、接着剤およびタブ（７１０）の組合せが使用されることができ、その場合、この種の接着剤は、タブ（７１０）の上にまたはそれの近くに配置される。
【００２３】
もう１つの例示的なクロージャ（９００）が、図７に示されている。クロージャ（９００）は、クロージャ（９００）がクロージャ（９００）の側壁（９０２）に配置される開口（９０６）を含むことを除いては、クロージャ（１００）に類似している。いくつかの実施形態においては、開口（９０６）は、クロージャ（９００）の頂部に配置される。開口（９０６）は、シール（３００）のタブ（３０４）の大きさに対応するようなサイズとされる。１つの開口（９０６）が示されているが、任意の適切な数の開口（９０６）が使用され得る。本実施例においては、側壁（９０２）は、把持面（９１６）を含む。しかし、把持面（９１６）は、単に任意選択的であるに過ぎない。いくつかの実施形態においては、クロージャ（７００）のタブ（７１０）に類似するタブが、クロージャ（９００）に設けられる。
【００２４】
いったんタブ（３０４）が容器（２００）から離れて持ち上げられてしまうと、クロージャ（９００）は、シール（３００）を容器（２００）から取り外すように容器（２００）に沿って上方へタブ（３０４）を引っ張るように使用される。クロージャ（９００）は、図８に示されるように、タブ（３０４）がクロージャ（９００）の開口（９０６）を通して摺動するように配置される。タブ（３０４）を開口（９０６）内に配置した状態で、クロージャ（９００）は、この場合、容器（２００）に沿って上方へ引っ張られる。クロージャ（９００）が引っ張られるにつれて、タブ（３０４）は、シール（３００）を容器（２００）から取り外すようにクロージャ（９００）と共に引っ張られる。ユーザは、容易にクロージャ（９００）を把持することができるので、これは、シール（３００）の取り外しのために把持するのに利用できる表面積を増大させるので、容器（２００）からのシール（３００）の取り外しをより容易にする。いくつかの実施形態においては、クロージャ（９００）の一部は、クロージャ（９００）がシール（３００）を容器（２００）から取り外すように引っ張られるにつれて、クロージャ（９００）が容器（２００）に対して枢動するように、容器（２００）の一部に対して配置される。これは、シール（３００）を容器（２００）から取り外すようなレバレッジ効果をもたらす。
【００２５】
いくつかの実施形態においては、シール（３００）は、容器（２００）から離れてシール（３００）のタブ（３０４）を持ち上げるのを助けるように把持要素によって変更される。図９は、シール（４００）上の把持要素として折り畳まれた部分（４０６）を含む例示的なシール（４００）を示している。シール（４００）は、シール（４００）が部分（４０２）および部分（４０２）から延在するタブ（４０４）を含むという点でシール（３００）に類似している。部分（４０２）は、容器（２００）の上面（２０３）に付着される。部分（４０２）は、上面（２０３）を越えて延在し、スカート長さ（４０３）を形成するように容器（２００）の側壁（２０５）の上に下方に折り畳まれる。しかし、図９に示されるように、タブ（４０４）は、タブ（４０４）の一部が折り畳まれた部分（４０６）を形成するようにそれ自体の上に折り畳まれるように折り畳まれた部分（４０６）を含む。タブ（４０４）は初めに、容器（２００）の側壁（２０５）の上に下方に折り畳まれる。タブ（４０４）は、側壁（２０５）の上にスカート長さ（４０３）を越えて延在する。次いで、タブ（４０４）は、折り畳まれた部分（４０６）を形成するようにそれ自体の上に上方へ折り畳まれる。折り畳まれた部分（４０６）は、容器（２００）の側壁（２０５）に配置される。折り畳まれた部分（４０６）は、シール（４００）を容器（２００）から取り外すように容器（２００）から離れてタブ（４０４）を持ち上げる把持能力を増大させる。タブ（４０４）は、折り畳まれた部分（４０６）がタブ（４０４）の折り畳まれていない部分の頂部に配置されるように折り畳まれる。いくつかの実施形態においては、タブ（４０４）は、折り畳まれた部分（４０６）がタブ（４０４）の折り畳まれない部分のすぐ下に配置されるように折り畳まれる。本実施例においては、折り畳まれた部分（４０６）は、タブ（４０４）の上におよそ半分程度延在する。いくつかの実施形態においては、折り畳まれた部分（４０６）は、タブ（４０４）の上に半分よりも多く延在する。他の実施形態においては、折り畳まれた部分（４０６）は、タブ（４０４）の上に半分よりも少なく延在する。図示された実施形態においては、折り畳まれた部分（４０６）は、タブ（４０４）に亘って実質的に水平であり、換言すれば、折り畳まれた部分（４０６）は、タブ（４０４）に亘って横方向に配置される。他の実施形態においては、折り畳まれた部分（４０６）は、タブ（４０４）に沿って長手方向に配置される。他の適切な折り畳まれた部分（４０６）の形態が、本明細書における教示を考慮すると当業者に明らかであろう。
【００２６】
シール（４００）は、図１０に示されるように、容器（２００）に結合される。シール（４００）の部分（４０２）は、容器（２００）の開口（２１４）を覆うように上面（２０３）に配置される。部分（４０２）は、容器（２００）の上面（２０３）を越えて延在し、ネック（２１２）の側壁（２０５）の上に下方に折り畳まれる。タブ（４０４）は、部分（４０２）から延在し、容器（２００）のネック（２１２）の側壁（２０５）の上に下方に折り畳まれる。折り畳まれた部分（４０６）は、ネック（２１２）の側壁（２０５）上でタブ（４０４）上の上方位置においてタブ（４０４）に配置される。いくつかの実施形態においては、クロージャ（１００）は、容器（２００）を閉鎖するようにシール（４００）および容器（２００）を覆って配置され、シール（４００）の不用意な穿刺を防止する。いったんユーザがまさに容器（２００）を開封しようとすると、ユーザは、ねじ山（２０２）に沿って上方にクロージャを回転させることによって、クロージャ（１００）を容器（２００）から取り外す。クロージャ（１００）を取り外した状態で、シール（４００）は、図１０に示されるように容器（２００）に配置される。
【００２７】
図１１Ａ〜図１１Ｂは、容器（２００）から離れてシール（４００）のタブ（４０４）を持ち上げる例示的な方法を示している。タブ（４０４）は、図１１Ａに示されるように、折り畳まれた部分（４０６）がタブ（４０４）上に折り畳まれたままであるように（たとえば、指、指の爪、工具、等によって）容器（２００）から離れて上方へ持ち上げられる。折り畳まれた部分（４０６）は、タブ（４０４）の表面積および剛性を増大させ、ユーザが容器（２００）から離れてタブ（４０４）を持ち上げることをより容易にする。いったんタブ（４０４）が容器（２００）から離れて持ち上げられると、タブ（４０４）は、図１１Ｂに示されるように、シール（４００）を容器（２００）から取り外すように容器（２００）に沿って上方へ引っ張られる。いくつかの実施形態においては、ユーザは、タブ（４０４）を容器（２００）に沿って引っ張るために、タブ（４０４）の両側を把持するかまたは挟む。折り畳まれた部分（４０６）は、タブ（４０４）に折り畳まれたままであるが、シール（４００）は、容器（２００）から取り外される。
【００２８】
いくつかの実施形態においては、折り畳まれた部分（４０６）は、図１２Ａ〜図１２Ｂに示されるように、シール（４００）を容器（２００）から取り外すのを助けるように下方へ引っ張られる。折り畳まれた部分（４０６）は、図１２Ａに示されるように（たとえば、指、指の爪、工具、等によって）タブ（４０４）から折り畳まれた部分（４０６）を展開するように下方へ引っ張られる。これは、容器（２００）から離れてタブ（４０４）を延在し、それにより、把持されるべきタブ（４０４）の一部の表面積の増大がもたらされ、タブ（４０４）を把持するユーザがシール（４００）を容器（２００）から取り外すのがより容易になる。いったんタブ（４０４）が容器（２００）から延在されると、タブ（４０４）は、図１２Ｂに示されるように、シール（４００）を容器（２００）から取り外すように容器（２００）に沿って上方へ引っ張られる。いくつかの実施形態においては、ユーザは、タブ（４０４）を容器（２００）に沿って引っ張るために、タブ（４０４）の両側を把持するかまたは挟む。
【００２９】
もう１つの例示的なシール（５００）が、図１３〜図１４に示されている。シール（５００）は、シール（５００）のタブ（５０４）が部分（５０２）の上にさらに折り畳まれることを除いては、シール（４００）に類似している。図１４に示されるように、部分（５０２）は、容器（２００）の上面（２０３）に結合される。部分（５０２）は、上面（２０３）を越えて延在し、スカート長さ（５０３）を形成するように容器（２００）の側壁（２０５）の上に下方へ折り畳まれる。タブ（５０４）は、部分（５０２）から延在し、容器（２００）の側壁（２０５）の上に下方へ折り畳まれる。タブ（５０４）は、折り畳まれた部分（５０５、５０６）を形成するようにそれ自体および部分（５０２）の上に上方へ折り畳まれる。容器の側壁（２０５）に沿って上方へ折り畳まれるタブ（５０４）の領域は、折り畳まれた部分（５０５）を形成する。次いで、タブ（５０４）の折畳みは、折り畳まれた部分（５０６）が容器（２００）の上面（２０３）に配置されるように、折り畳まれた部分（５０６）を形成するように側壁（２０５）を越えて延在する。シール（５００）を容器から取り外すために、折り畳まれた部分（５０５、５０６）は、（たとえば、指、指の爪、工具、等によって）タブ（５０４）から折り畳まれた部分（５０５、５０６）を展開するように下方へ引っ張られる。これは、容器（２００）から離れてタブ（５０４）を延在し、それにより、把持されるべきタブ（５０４）の一部の表面積の増大がもたらされ、タブ（５０４）を把持するユーザがシール（５００）を容器（２００）から取り外すのがより容易になる。いったんタブ（５０４）が容器（２００）から延在されると、ユーザは、シール（５００）を容器（２００）から取り外すように、タブ（５０４）を容器（２００）に沿って上方へ引っ張るようにタブ（５０４）を把持する。
【００３０】
もう１つの例示的なシール（６００）が、図１５〜図１６に示されている。シール（６００）は、シール（６００）のタブ（６０４）が第１の折り畳まれた部分（６０８）および第２の折り畳まれた部分（６０６）を含むことを除いては、シール（４００）に類似している。タブ（６０４）は、容器（２００）の側壁（２０５）に配置される。タブ（６０４）の第１の部分は、側壁（２０５）に第１の折り畳まれた部分（６０８）を形成するように上方へ折り畳まれる。同様に、タブ（６０４）の第２の部分は、側壁（２０５）に第２の折り畳まれた部分（６０６）を形成するように上方へ折り畳まれる。図示された実施形態においては、第１の折り畳まれた部分（６０８）および第２の折り畳まれた部分（６０６）は、タブ（６０４）に亘って概ね斜方向に延在する折畳み線を有する上方への折畳みによって作られる。いくつかの実施形態においては、第１の折り畳まれた部分（６０８）および／または第２の折り畳まれた部分（６０６）は、タブ（６０４）のすぐ下に折り畳まれる。図示された実施形態においては、第１の折り畳まれた部分（６０８）および第２の折り畳まれた部分（６０６）は、図１５に示されるように、タブ（６０４）のコーナー（６１０）を形成するように配置される。本実施例においては、コーナー（６１０）は、タブ（６０４）上でセンタリングされる。しかし、いくつかの実施形態においては、コーナー（６１０）は、タブ（６０４）の片側の方へ配置される。本実施例においては、コーナー（６１０）はまた、尖った形状を有する。他の実施形態においては、コーナー（６１０）は、容器（２００）から離れてタブ（６００）を持ち上げるのを助けるように、丸みのある、平坦な、または他の適切な形状を有する。２つの折り畳まれた部分（６０６、６０８）が図示された実施形態において示されているが、任意の数の折畳みが使用され得る。たとえば、いくつかの実施形態においては、タブ（６０４）は、コーナー（６１０）が上方に折り畳まれ、タブ（６０４）の上に配置されるように、第３の折り畳まれた部分を含む。折り畳まれた部分（４０６、５０５、５０６）の形状のいずれかが、シール（６００）に容易に組み込まれ得る。他の適切なタブ（６０４）形状が本明細書における教示を考慮すると当業者に明らかであろう。
【００３１】
図１６に示されるように、シール（６００）は、タブ（６０４）が容器（２００）のネック（２１２）の上に延在するように、容器（２００）に取り付けられる。シール（６００）を容器（２００）から取り外すために、タブ（６０４）は、折り畳まれた部分（６０６、６０８）がタブ（６０４）に折り畳まれたままであるように、（たとえば、指、指の爪、工具、等によって）コーナー（６１０）を介して容器（２００）から離れて上方へ持ち上げられる。折り畳まれた部分（６０６、６０８）は、ユーザが容器（２００）から離れてタブ（６０４）を持ち上げるのをより容易にする。いったんタブ（６０４）が容器（２００）から離れて持ち上げられると、タブ（６０４）は、シール（６００）を容器（２００）から取り外すように容器（２００）に沿って上方へ引っ張られる。いくつかの実施形態においては、ユーザは、タブ（６０４）を容器（２００）に沿って引っ張るために、タブ（６０４）の両側を把持するかまたは挟む。折り畳まれた部分（６０６、６０８）は、タブ（６０４）に折り畳まれたままであるが、シール（６００）は、容器（２００）から取り外される。
【００３２】
本明細書における教示を考慮すると、製品パッケージ（１０）の容器（２００）およびクロージャ（１００）、ならびにシール（３００）の特徴へのさまざまな変更が当業者に明らかであろう。
【００３３】
本明細書において開示された本発明のさまざまな実施形態を示し、説明しているので、本明細書において説明された装置、方法、およびシステムのさらなる適応が、本明細書において開示された本発明の範囲から逸脱することなく当業者によって適切な変更によって達成され得る。このような可能性のある変更のいくつかが述べられており、これ以外のものが当業者に明らかであろう。たとえば、上記に説明された実施例、実施形態、幾何学的特徴、材料、寸法、比率、ステップ、等は、例示である。したがって、本発明の範囲は、次の特許請求の範囲によって考慮されるべきであり、本明細書および図面に示され、説明された構造および動作の詳細に限定されるものではないと理解される。
【図１】
2016502963.tif 000003
【図２】
2016502963.tif 000004
【図３】
2016502963.tif 000005
【図４】
2016502963.tif 000006
【図５Ａ】
2016502963.tif 000007
【図５Ｂ】
2016502963.tif 000008
【図５Ｃ】
2016502963.tif 000009
【図５Ｄ】
2016502963.tif 000010
【図６Ａ】
2016502963.tif 000011
【図６Ｂ】
2016502963.tif 000012
【図７】
2016502963.tif 000013
【図８】
2016502963.tif 000014
【図９】
2016502963.tif 000015
【図１０】
2016502963.tif 000016
【図１１Ａ】
2016502963.tif 000017
【図１１Ｂ】
2016502963.tif 000018
【図１２Ａ】
2016502963.tif 000019
【図１２Ｂ】
2016502963.tif 000020
【図１３】
2016502963.tif 000021
【図１４】
2016502963.tif 000022
【図１５】
2016502963.tif 000023
【図１６】
2016502963.tif 000024
【手続補正書】
【提出日】平成27年9月10日(2015.9.10)
【手続補正１】
【補正対象書類名】特許請求の範囲
【補正対象項目名】全文
【補正方法】変更
【補正の内容】
【特許請求の範囲】
【請求項１】
本体および開口を備える容器と、
開口を封止するように本体と着脱可能に係合され、タブが本体に沿って第１の位置に配置されるように、開口を越えて延在するタブを備える、シールと、
シールを覆って配置され、容器と着脱可能に係合され、シールのタブと結合される少なくとも１つの把持要素を備えるクロージャであって、クロージャが容器から取り外されると、少なくとも１つの把持要素が本体から離れて第２の位置にシールのタブを持ち上げるように動作可能である、クロージャと
を備える、製品パッケージ。
【請求項２】
少なくとも１つの把持要素が、クロージャの側壁から内側に延在するタブを備える、請求項１に記載の製品パッケージ。
【請求項３】
タブが、側壁から実質的に直角に延在する、請求項２に記載の製品パッケージ。
【請求項４】
タブが、側壁から鋭角で延在する、請求項２に記載の製品パッケージ。
【請求項５】
タブが、側壁の内周に連続的に延在する、請求項２に記載の製品パッケージ。
【請求項６】
タブが、側壁の一部内周のみに延在する、請求項２に記載の製品パッケージ。
【請求項７】
タブが、側壁の端部に配置される、請求項２に記載の製品パッケージ。
【請求項８】
クロージャが、クロージャの側壁に開口を備え、タブが開口の中に配置可能であるように、開口がシールのタブに対応するようなサイズとされる、請求項１に記載の製品パッケージ。
【請求項９】
開口が、シールを容器から取り外すのに役立つように動作可能である、請求項８に記載の製品パッケージ。
【請求項１０】
第１の折り畳まれた部分がタブに対して配置されるように、タブが第１の折り畳まれた部分を備え、第１の折り畳まれた部分が、シールを容器から取り外す把持要素を提供するように構成される、請求項１に記載の製品パッケージ。
【請求項１１】
第１の折り畳まれた部分が、ネック部に沿って配置される、請求項１０に記載の製品パッケージ。
【請求項１２】
第１の折り畳まれた部分が、タブに対して実質的に水平である、請求項１０に記載の製品パッケージ。
【請求項１３】
第１の折り畳まれた部分が、容器の上面まで延在する、請求項１０に記載の製品パッケージ。
【請求項１４】
タブが、第２の折り畳まれた部分を備え、第１の折り畳まれた部分および第２の折り畳まれた部分が、コーナーを備える、請求項１０に記載の製品パッケージ。
【請求項１５】
コーナーが、タブのほぼ中心に配置される、請求項１４に記載の製品パッケージ。
【国際調査報告】
2016502963.tif 000025
2016502963.tif 000026